(57)【要約】この発明は、画像（１１）、およびこの画像に関する、関連付けられた固体音声録音（２４）を組込んだ表示装置（１０）に関する。表示装置（１０）は、予め定められた内容を有する１つまたは２つ以上の静止画像を含み、好ましくはデジタル再生装置である固体音声再生装置（２４）を有し、この装置は、音声出力手段（２１）、（通常「ラジオ品質」と称される）１秒当り少なくとも２２ｋｂの音声品質で、３０秒を超える長さの音声信号を記憶するためのデータ記憶手段（２４）を有する。音声出力の内容は画像（１１）の内容に関連がある。画像（１１）は、たとえばスポーツに関する注目すべき出来事または人物に関連していてもよく、音声再生は、その出来事または人物に関するスポーツの解説に関連していてもよい。
2004514183.tif 000002
【特許請求の範囲】
【請求項１】
表示装置であって、
予め定められた内容を有する１つまたは２つ以上の静止画像と、
固体音声再生装置とを含み、前記固体音声再生装置は、音声出力手段と、１秒当り少なくとも２２ｋｂの音声品質の、３０秒を超える長さの音声信号を記憶するためのデータ記憶手段と、前記デジタル化された音声信号を音声出力に変換するためのデータプロセッサ手段とを含み、
このため、音声出力は、１秒当り少なくとも２２ｋｂの音声品質で、３０秒を超える期間の再生が可能であり、音声出力の内容は画像の内容に関連する、表示装置。
【請求項２】
前記データ記憶手段はデジタルデータ記憶手段である、請求項１に記載の表示装置。
【請求項３】
デジタルデータ記憶手段は、１分を超える長さのデジタル化された音声信号を記憶することのできる、請求項２に記載の表示装置。
【請求項４】
デジタルデータ記憶手段は、４分を超える長さのデジタル化された音声信号を記憶することのできる、請求項３に記載の表示装置。
【請求項５】
前記１つまたは２つ以上の画像はフレーム内に表示され、前記固体音声再生装置は前記フレーム内に収納される、請求項１から４のいずれかに記載の表示装置。
【請求項６】
前記音声出力手段は、前記フレーム内に隠される１つまたは２つ以上のスピーカを含む、請求項５に記載の表示装置。
【請求項７】
音声出力手段は、音声非透過プレートにより隠される音響路を含み、前記音響路は、前記プレートに隣接する隠された開口部を有する、請求項５に記載の表示装置。
【請求項８】
前記デジタルデータ記憶手段は、ユーザが交換することのできる取外し可能なメモリ素子を含み、前記メモリ素子はデジタル音声情報を含む、請求項２から７のいずれかに記載の表示装置。
【請求項９】
前記装置はドックを含み、このドックの中に、前記取外し可能なメモリ素子がデータの前記装置への転送のために挿入され得る、請求項８に記載の表示装置。
【請求項１０】
異なった音声出力が、異なったデジタル音声情報を含む取外し可能なメモリ素子を挿入することにより再生可能である、請求項８または９に記載の表示装置。
【請求項１１】
前記装置は、聞き手の存在によりトリガされると前記音声出力の再生を始める近接スイッチをさらに含む、請求項１から１０のいずれかに記載の表示装置。
【請求項１２】
図面に関連して、実質的に上述のとおり記載される、請求項１に記載の表示装置。
【発明の詳細な説明】
【０００１】
【発明の分野】
この発明は、画像およびその画像に関する、関連付けられた固体音声録音を組込んだ表示装置に関する。
【０００２】
【発明の背景】
さまざまなフレーム付きの画像が一般に見受けられ、これらのうちいくつかは、関連付けられた音声を有する。これらのうち最も注目すべきものは、ビデオ画像が、ある関連付けられたサウンドトラックを有するテレビである。別の例に映画がある。音声はコンピュータの領域においては一般的であり、このコンピュータの領域においては、静止画像が、音声を再生する関連付けられたｍｉｄｉまたはｗａｖｅファイルを有する。しかしながら、今日まで、長年にわたって一般に用いられてきた固体音声録音および再生チップにおける技術進歩を考慮に入れたとしても、この組合せは発明されていない。さらに、歴史上の出来事の写真または広告用のポスター等の、静止画像と関連付けられた高品質の音声を提供するための、単純で費用効率の高いソリューションはなかった。
【０００３】
磁気オーディオテープまたは他の録音媒体に録音されたメッセージは、大量生産するには高価であり、メンテナンスが必要であり、このため、画像と音声との間に相関性のある静止画像を組合せて、品質のよい音声をもたらす固体ソリューションを提供することが望ましい。
【０００４】
当然、固体音声録音および／または再生装置は周知である。たとえば、開いたときに短い曲またはメッセージを再生する小さなピエゾスピーカおよびサウンドチップを備えたグリーティングカードを購入することができる。同様に、デジタル時計は通常、曲を再生するアラームを含んでいる。これらは、少なくとも１５年の間に利用可能となった。携帯電話もまた、単純な呼出音を再生するのではなく、さまざまな異なった曲を奏でる。固体留守番電話機の所有は一般的なことである。しかしながら、この技術の長年の利用可能性にもかかわらず、以下に述べられる組合せでのこの発明はまだ現われていない。
【０００５】
【発明の概要】
この発明の目的は、高品質の音声が伴った表示装置を提供することである。
【０００６】
この発明に従って、予め定められた内容を有する１つまたは２つ以上の静止画像を含む表示装置が提供され、この装置は固体音声再生装置を有し、この再生装置は音声出力手段およびデータ記憶手段を有し、このデータ記憶手段は、（通常「ラジオ品質」と称される）１秒当り少なくとも２２ｋｂの音声品質で、３０秒を超える長さの音声信号を記憶し、この場合、音声出力の内容は画像の内容と関連がある。
【０００７】
好ましくは、音声出力（または音声メッセージ）は１分を超える時間を有し、典型的には４分間までの容量を有する。ほとんどの目的に対してはこれで十分であると見なされるが、より大きなメモリを用いることにより、より長い時間を提供できることが明らかであるが、引き換えに費用が高くなる。
【０００８】
好ましくは、データ記憶手段はデジタルデータ記憶手段である。
表示装置は、好ましくは、フレーム付の写真または絵画等の二次元の画像として画像を収納するフレームを含む。固体音声再生ユニットは、好ましくは、フレームの上方端部でその内部に収納される。また、フレームに収納されるか、またはフレームに取付けられる１つまたは好ましくは２つのスピーカが用いられる。２つのスピーカを用いる場合、これらはフレームにわたって一様な間隔で配置されて、均一な音声分配をもたらす。
【０００９】
特に好ましい実施例では、フレームは、隠されるかまたは偽装される音響路から音声が出るように配置される。１つまたは２つ以上の音響路を含んでいてもよい。典型的には、隠された音響路は、音声透過膜によって覆われるフレームにおけるアパチャにより規定される。さらに好ましくは、音声非透過プレートを用いるので、音声が、プレートに隣接する開口部を介して出ていくよう向け直される。好ましくは、フレームは凹面または同様の面を含み、プレートはその面を横切ってわたり、したがって音声はプレートとフレームとの間でプレートのいずれの側においても規定される開口部を介して出ていき、この面は典型的にはフレーム全体にわたって延在する。
【００１０】
プレートは、好ましくはフレームの上部で中心に配置され、このためフレームが壁に掛けられると、音声が開口部を介してプレートのどちらの側においても、均一に、外向きかつ下向きに流れ出る。プレートは典型的には額である。
【００１１】
ユニットは、手動で押し下げることのできるスイッチによって動作されて、録音をリセットし、音声再生を初めから開始させることができる。代替的には、近接スイッチを、人が装置のそばに十分に近寄ると音声出力の再生を自動的に始めるように、押しボタンスイッチに加えてまたは押しボタンスイッチの代わりとして用いてもよい。
【００１２】
最も単純な形態では、装置はデジタル化された音声信号を予めロードされるが、機能においては十分にプログラム可能かつ再録音可能であってもよい。これは好ましくは電池式であり、低電力の待機モードで動作することができる。
【００１３】
さらに好ましい実施例では、装置は、音声再生メッセージを時々変更するための能力を含む。最も好ましくは、これは取外し可能なメモリ素子によってなされ、この場合、代替的なメモリ素子、または音声再生装置に初めからプログラムされたデータとは異なるデジタル音声データを保持するある素子を、装置における好適なポートに挿入することができる。最も好ましいメモリ素子は、フラッシュメモリカード、またはメモリスティック（Ｍｅｍｏｒｙ Ｓｔｉｃｋｓ）（商標）を含む。メモリ素子は、好適なソフトウェアを用いる、たとえばＭＰ３形式に記憶された、デジタルボイスおよび／またはデジタル音楽等のデジタル音声データを含んでいてもよい。
【００１４】
別の実施例では、任意選択の音声データファイルがユーザにとって入手可能であり得、たとえば、表示装置に挿入され得るフラッシュカードまたはメモリスティック（商標）へのインターネットからのダウンロードが可能であり得る。デジタル化された音声信号を装置にロードするための代替的な構成を利用し得ることもわかる。
【００１５】
特に好ましい形態では、スピーカを含む装置の構成要素は隠されるか、または別の場合、この装置は、音声再生の開始時にいくらか思いがけない効果をもたらすために、普通の絵画、映像またはフレーム付の写真などとして現われるように偽装される。たとえば、画像はスポーツに関する注目すべき出来事または人物に関連していてもよく、録音再生は、その出来事または人物に関するスポーツの解説に関連していてもよい。代替的には、ある特定の歴史上のスピーチを称える、ある有名な政治家の画像であってもよく、音声録音は実際のスピーチからの抜粋であってもよい。別の例として、広告であってもよく、その音声は関連する広告用のコマーシャル曲であってもよい。
【００１６】
この発明がより容易に理解され、実施され得るために、好ましい一実施例を示す添付の図面が参照される。
【００１７】
［詳細な説明］
図面に関連して、まず図１および図２には、公知の態様でフレーム１２内に保持される画像１１を含む表示装置１０が示される。フレーム１２は、側部フレーム部材１３および側部フレーム部材１４、上部フレーム部材１５、ならびに下部フレーム部材１６を含む。この場合、上部フレーム部材１５は前部凹面セクション１７を含み、上部フレーム部材の後ろに、音声録音および再生ユニット１９を保持する収納セクションを１８にて含む。フレーム部材１７を通る孔２０により、スピーカ２１からの音声が、孔２０を隠している（図１には図示されない）額２２上に当たることが可能となる。音声は凹面１７に沿って横方向に流れて、凹面と額との間を、額のいずれの側からも出ていく。額には画像に関連した印を付けることができ、これはタイトルまたは他の情報であってもよい。電池が２３にて示され、収納部１８内に、プリント回路基板および電子部品が２４にて示される。フレーム部材１３、１４、１５および１６はすべて、凹面１７がフレーム全体にわたって延在するように同じセクションからできている。画像の一定の範囲内に人が近づくと音声メッセージの再生が始まるように、近接スイッチを用いてもよい。
【００１８】
図示された実施例では、近接スイッチではなく、手動で動作可能なスイッチを用いて音声録音の再生をリセットし、開始させることが望ましい場合、押しボタン２５をフレーム１６で用いる。近接オーバーライドスイッチを、さらに、フレーム１６の基部上で用いて、手動動作または近接動作を選択できるようにしてもよい。スイッチはフレーム１６における窪みに収納されており、そこは正面からは隠れている。
【００１９】
フレームは、典型的にはフレーム部材１６が壁に掛けられ、フレーム部材１３および１４は上方向に傾けられ、収納部１８は空間２６に向かってフレーム部材１６と壁との間に突き出、かくして収納部１８を収容し、また、音声を、画像を見ている人の方へ外方向かつ下方向に向ける。
【００２０】
図３では、録音および再生ユニットの主要な構成要素がブロック図で示される。明らかに、図３のブロック図に示される構成はさまざまな方法で実現され得るが、図４には、以下のように記載される特定の実施例が示される。
【００２１】
電子機器は３つの部分に分けることができる。
１．　制御ユニット、Ａｔｍｅｌマイクロコントローラ、ＡＴ９０ＬＳ２３４３−４ＳＣ
２．　音声録音ユニット、ＩＳＤチップコーダ、ＩＳＤ４００３−０４ＭＳ
３．　アナログ増幅器、ナショナルセミコンダクタ（Ｎａｔｉｏｎａｌ Ｓｅｍｉｃｏｎｄｕｃｔｏｒ）、ＬＭ４８６０。
【００２２】
１．　マイクロコントローラ：
ＡＴ９０ＬＳ２３４３は、３Ｖ、８ピン、４ＭＨｚのマイクロコントローラ（Ｕ５）である。２３４３における内部発振器はしばしば始動せず、コントローラがデフォルトで外部クロックソースとなる。ＲＣ発振器（Ｕ４，Ｒ１＆Ｃ４）は、この問題を克服するために設計に追加された。これにより、コントローラにはわずかに４つのＩＯラインが備えられたままとなり、これらＩＯラインを用いてＩＳＤチップへのＳＰＩ通信をエミュレートする。ＳＰＩは、ＭＯＳＩ（マスタ・アウト／スレーブ・イン）、ＭＩＳＯ（マスタ・イン／スレーブ・アウト）、ＳＣＬＫ（シリアルクロック）、および／ＳＳ（スレーブセレクト）を必要とする。
【００２３】
リセット後、コントローラはコマンドをＩＳＤチップに送出して、電源投入し、次いでメモリの最初から再生する。遅延が経過すると、コントローラはパワーダウンコマンドをＩＳＤチップに送り、ＬＭ４８６０増幅器を遮断し、次いでそれ自体をスリープ状態にする。
【００２４】
コントローラを、コネクタＣＯＮ６を介してシステム内で再プログラムすることができ、レジスタＲ２は、／ＳＳをハイにして、確実に、ＩＳＤチップが、コントローラへのいずれのプログラミングコマンドの翻訳も試みないようにする。
【００２５】
２．　ＩＳＤチップ：
ＩＳＤ４００３−０４ＭＳ（Ｕ２）であるこのチップは、システム全体の中核であり、音声を８ｋｓｐｓで４分までその中に記憶させることができる。これら４分は多くの異なった断片に分割され得る。ＩＳＤチップは極めて自立型であり、ＳＰＩインターフェイスにより、制御と、記録すべきアナログ入力と、増幅器に直接伝わるアナログ出力とが容易となる。
【００２６】
アナログ入力は、ＣＯＮ３を介してシステムに直接供給され得、ＩＳＤチップへのコマンドは、コントローラ（ＣＯＮ６）をプログラムするのに用いられるように、同じコネクタを介して送られてもよい。
【００２７】
３．　増幅器：
ナショナルセミコンダクタからの２Ｗピーク増幅器である、ＬＭ４８６０（Ｕ３）を用いて８ｏｈｍのスピーカを駆動する。これは、低電圧（すなわち、３Ｖ）で動作するよう設計される少数の増幅器のうちの１つである。これはまた、電力消費を劇的に減ずることのできる遮断機能を有する。このラインを駆動できることが非常に重要であるが、Ａｔｍｅｌの部品はそうするために十分なＩＯラインを備えていない。この問題を克服するために、ＩＳＤチップへの／ＳＳラインは、ＭＯＳＩラインとの論理積をとって（Ｕ１）、遮断ラインを作り出す。これは、増幅器が、ＩＳＤチップへのコマンドの送信中、常に活性状態にあることを意味するが、コントローラは、コマンドを送信していないとき、ＭＯＳＩラインを用いることにより遮断ラインを制御する。
【００２８】
ＩＳＤチップコーダを用いることにより、いかなるアナログ・デジタル変換回路およびデジタル・アナログ変換回路もなしで、フラッシュベースのメモリセルへのそのままの形でのボイスおよび音声の保存が可能となる。ボイスおよび音声信号を直接保存する際にいかなる圧縮および復元処理もなしに、さらに品質の高い音声が達成される。
【００２９】
ＩＳＤチップコーダの多重レベル記憶装置は、デジタル修正を提供し、また、ＣＤ品質モノラルまたはステレオ音声を提供する例の変形である。
【００３０】
この発明のさらに別の好ましい実施例では、表示装置の回路内に電子的または物理的に組込まれるセキュリティ装置が付加的に設けられてもよい。このセキュリティ装置は、表示装置が盗まれた場合に、表示装置の認証または装置の現在の持主の本人証明を識別または確認する等の特徴を含んでいてもよい。セキュリティ装置は、所望のとおり、必要なまたは望ましいセキュリティ機能を実行するために、電子的に読出しまたはスキャンまたはプログラムされてもよい。
【００３１】
以上のことを、この発明の具体的な例のために述べてきたが、これらに対する多くの変形および変更は、この明細書に述べられるこの発明の広範な領域および範囲から逸脱することなく、当業者にとって明らかとなるであろう。
【図面の簡単な説明】
【図１】この発明に従った装置の概略図である。
【図２】図１の２−２を通る断面図である。
【図３】録音および再生ユニットのブロック図である。
【図４】典型的な録音および再生ユニットの回路図である。
【図３】
2004514183.tif 000003
【国際公開パンフレット】
2004514183.tif 000004
2004514183.tif 000005
2004514183.tif 000006
2004514183.tif 000007
2004514183.tif 000008
2004514183.tif 000009
2004514183.tif 000010
2004514183.tif 000011
2004514183.tif 000012
2004514183.tif 000013
2004514183.tif 000014
2004514183.tif 000015
2004514183.tif 000016
2004514183.tif 000017
2004514183.tif 000018
【国際調査報告】
2004514183.tif 000019
2004514183.tif 000020
2004514183.tif 000021